(57)【要約】【課題】簡単な機構でカードの誤挿入や不正な抜き取りを確実に防止することができるカードリーダライタのシャッター機構を提供する。【解決手段】シャッタープレート１０は、一端にカード挿入口２を閉蓋するフラップ１０ａと、他端に収納されたカード３を押し上げる突条１０ｂを一体的に設け、支軸１０ｃでもってシーソー状に傾動可能に軸承する。シャッタープレート１０のフラップ１０ａの外側面を、シャッタープレート１０の閉塞方向に漸次拡大するテーパ面Ｔ１に形成すると共に、フラップ１０ａの内側面もまたシャッタープレート１０の閉塞方向に漸次拡大するテーパ面Ｔ２に形成する。【選択図】  図３
2011233098.tif 000002
【特許請求の範囲】
【請求項１】
カードに金員データの読み込み及び書き込みを行うリードライト部を備え、カード挿入口を閉塞するフラップが一体的に設けられ傾動可能に軸承されたシャッタープレートを有するカードリーダライタユニットにおいて、前記フラップの外側面を、シャッタープレートの閉塞方向に漸次拡大するテーパ面としたことを特徴とするカードリーダライタのシャッター機構。
【請求項２】
カードに金員データの読み込み及び書き込みを行うリードライト部を備え、カード挿入口を閉塞するフラップが一体的に設けられ傾動可能に軸承されたシャッタープレートを有するカードリーダライタユニットにおいて、前記フラップの内側面を、シャッタープレートの閉塞方向に漸次拡大するテーパ面としたことを特徴とするカードリーダライタのシャッター機構。
【発明の詳細な説明】
【技術分野】
【０００１】
本発明は、プリペイドカード等を利用する機器に取り付けられるカードリーダライタユニット（以下、単にリーダライタとも称す）に関し、とくに視聴覚機器のタイマー装置やパチンコ機の貸し玉装置等に使用して好適なカードリーダライタユニットに関するものである。
【０００２】
従来、病院やホテル等において、患者や宿泊者が部屋に設置された電気機器、例えばテレビの視聴料金を精算する技術として、磁気カードやＩＣカード方式のタイマー装置を用いたものがある。この方式は、テレビの視聴可能度数等を予め記録したカードをタイマー装置に挿入し、カードに記録された視聴可能度数に応じた所定時間内での視聴を可能としている。また、遊技場に置かれるパチンコ玉やメダル貸し出し機にもこのようなリーダライタが組み込まれており、リーダライタに所定の金員度数を持ったプリペイドカードが挿入されると、記録された金員度数に応じた個数のパチンコ玉やメダルが払い出されるようになっている。
【０００３】
パチンコ店等の遊技場では、磁気的手段によって金員データが書き込まれたプリペイドカードを使用した遊技システムが採用されている。この遊技システムは、予め所定の金員分のデータが書き込まれたプリペイドカードを購入し、プリペイドカードに記憶された金員データの範囲内で所定の金額を指定すると、指定した金額分のパチンコ玉やメダルが貸し出され、遊技が可能となる。そして、パチンコ玉やメダルが指定した金額分だけ貸し出されると、その分の金額がプリペイドカードから減算され、金員データが無くなると、そのプリペイドカードは使用不可能となり、使用者に返却される。この種の遊技システムは、遊技に現金を使う必要が無いので、遊技中に両替のために席を離れたりするといった煩わしさが解消され、遊技者にとっては便利である。
【０００４】
ここで、とくに遊技場のパチンコ玉やメダル貸し出し機においては、このプリペイドカードの強制的な引き出しによる不正や盗難、他者のカードの誤挿入を防止することが要求される。そこで従来、ソレノイドコイルを使用してアームを傾動させてカード挿入口にシャッタープレートを下すようにしたもの（特許文献１参照。）。カードをユニット内に押し込む動作にリンクしてシャッターが閉じるようにされたもの（特許文献２参照。）。カードリフト用のギャードモーターの回転軸に軸承されてシーソー状に傾動可能に取り付けられたシャッタープレートを備えたもの（特許文献３参照。）等が提案されている。
【先行技術文献】
【特許文献】
【０００５】
【特許文献１】特開平１０−２１３４２号公報
【特許文献２】特開２００４−２８８０７５号公報
【特許文献３】特許第３８０９６１２号公報
【発明の概要】
【発明が解決しようとする課題】
【０００６】
すなわち、このようなリーダライタにおいては、処理中のカードの保護や盗難、不正使用の防止対策が要求される。しかしながら、特許文献１に開示されているようなシャッター機構では、遮蔽板を回動させるために高価なソレノイドが必要となる上に、カードの位置検出用のセンサーまで要する。また、ソレノイドを駆動するための通電又は通電停止時に電磁ノイズが発生し、カードのリードライト処理に悪影響をおよぼすことがある。本発明は、上記従来の課題に鑑み、簡単な機構でカードの不正な抜き取りや誤挿入を確実に防止することができるカードリーダライタのシャッター機構を提供することを目的とする。
【課題を解決するための手段】
【０００７】
このため本発明では、カードに金員データの読み込み及び書き込みを行うリードライト部を備え、カード挿入口を閉蓋するフラップが一体的に設けられ傾動可能に軸承されたシャッタープレートを有するカードリーダライタユニットにおいて、前記フラップの外側面をシャッタープレートの閉塞方向に漸次拡大するテーパ面としたことを第１の特徴とする。また、フラップの内側面をシャッタープレートの閉塞方向に漸次拡大するテーパ面としたことを第２の特徴とする。
【発明の効果】
【０００８】
本発明によれば、下記の優れた効果がある。
（１）簡単な構造で、処理中のカードの保護及び不正使用の防止を図ることができる。
（２）ソレノイドやカードの位置を検出するためのセンサーが不要で、安価に製作できる。
（３）ソレノイドを使用しないので電磁ノイズが発生することがなく、リードライトにおける磁性的不具合は起らない。
【図面の簡単な説明】
【０００９】
【図１】本発明に係るカードリーダライタの内部構成を示すスケルトン側面図である。
【図２】本発明に係るカードリーダライタのカード処理状態を示すスケルトン側面図である。
【図３】カードを強制的に引き抜こうとする状態を示す（ａ）はシャッタープレートの要部側面断面図、（ｂ）は模式図である。
【図４】カードを強制的に挿入しようとする状態を示す（ａ）はシャッタープレートの要部側面断面図、（ｂ）は模式図である。
【発明を実施するための形態】
【００１０】
以下、本発明の実施の形態を図面に示す実施例に基づいて説明する。
【実施例】
【００１１】
図１において、略平板形のカードリーダライタユニット本体１は、固定フレーム１ｂに対して開閉可能な可動フレーム１ａを有し、カードリーダライタユニット本体１の前面にはカード挿入口２が形成されている。このカード挿入口２の前方には、非接触式のリードライト部４が設けられている。リードライト部４の奥方側には発券・回収されるカード３が収納されるカードストック部５が設けられる。リードライト部４は、カード挿入口２から挿入されたカード３の金員データの読み取り及び書き込みを行う。
【００１２】
このリードライト部４周辺には搬送手段６が設けられ、この搬送手段６は下側駆動ローラと６ｂと上側従動ローラ６ａとからなり、駆動モーター７により減速機８を介して正逆両方向に回転駆動可能とされている。
【００１３】
固定フレーム１ｂの前方には、一端にカード挿入口２を閉蓋するフラップ１０ａと、他端に、収納されたカード３を押し上げる突条１０ｂが一体的に設けられたシャッタープレート１０が支軸１０ｃでもって軸承されてシーソー状に傾動可能に取り付けられている。シャッタープレート１０の突条１０ｂ側の下方には、カードリフト用モーター１１に取付けられたカードリフト用カム１２が配され、シャッタープレート１０の突条１０ｂ側下面に当接するようにされている。
【００１４】
カード搬送手段６の後方近傍（図１の右側）、つまりカード引込み方向側には１枚のカード３のみが通過可能な間隔に設定されたゲート部９が配設され、また、可動フレーム１ａには、スプリング１３でもって下方に付勢されるカード保持板１４が設けられ、このカード保持板１４は、カードストック部５に積層して収納された複数のカード３を上方から押圧して安定保持できるようにされている。尚、図中１５は、ストックされたカード３の満杯状態を検知するセンサーである。
【００１５】
次に、本実施例の作用について説明する。
カードリフト用モーター１１に回動指示信号が送られカードリフト用カム１２が回転すると、シャッタープレート１０のフラップ１０ａは下方に傾動して、カード挿入口２が開口しカード３が挿入可能になる。挿入されたカード３はカード搬送手段６によって搬送され、その先端側がゲート９を通過し、シャッタープレート１０の突条１０ｂによって押し上げられてストックカードの下端に生じた隙間に入り込むように位置する。この状態でカードリフト用モーター１１に再度回動指示信号が送られると、図２に示すように、シャッタープレート１０の突条１０ｂが下動し、同時にシャッタープレート１０のフラップ１０ａが上動してカード挿入口２を閉蓋する。
【００１６】
カード３は、リードライト部４にて金員残高が電磁気的にリードライトされデータ更新される。そして、遊技終了時にカード残高が残っていれば、カード３はカード挿入口２に戻り返却される。一方、カード残高が残っていなければ、カード３のデータが再使用可能な状態に初期化された後、カード搬送ローラ６の駆動ローラ６ｂがさらに時計方向に回転し、カード３はゲート部９の間を通って、カードストック部５側に引き込まれて収納される。このように、使用済のカード３は再使用可能な状態に初期化された後、カードストック部５に順次積層して収容される。
【００１７】
ここで、本発明に係るシャッター機構について説明すると、図３及び図４に示すように、シャッタープレート１０のフラップ１０ａは、フラップ１０ａの外側面がシャッタープレート１０の閉塞方向に漸次拡大するテーパ面Ｔ１に形成されると共に、フラップ１０ａの内側面もまたシャッタープレート１０の閉塞方向に漸次拡大するテーパ面Ｔ２に形成されている。そして、シャッタープレート１０が閉じた状態で内部のカード３を引き抜こうとすると、カード３の端縁３ｂがフラップ１０ａのテーパ面Ｔ２に当接してこれに倣って摺動し、シャッタープレート１０はさらに閉蓋する方向へ付勢される。このため、カード３の引き抜きはさらに困難となる。同様に、シャッターが閉じた状態で他のカード３を無理に挿入しようとすると、カード３の端縁３ａがフラップ１０ａの外側テーパ面Ｔ１に倣って摺動し、シャッタープレート１０はさらに閉蓋する方向へ付勢される。このため、カード３の挿入はさらに困難となる。以上のことから、処理中のカード３の保護及び不正防止、カード３の誤挿入防止を図ることができる。
【００１８】
このように、シャッタープレート１０のフラップ１０ａにテーパ面Ｔ１並びにテーパ面Ｔ２を形成するという簡単な構造で、カードの不正な抜き取りや誤挿入を確実に防止するという所期の効果を得ることができる。尚、テーパ面Ｔ１及びテーパ面Ｔ２は双方とも設ける必要はなく、必要とされるどちらか内外どちらか一方の面にだけ形成するものでもよく、とくに限定されない。
【符号の説明】
【００１９】
１    カードリーダライタユニット
１ａ  可動フレーム
１ｂ  固定フレーム
２    カード挿入口
３    カード
３ａ  カード先端
３ｂ  カード後端
４    リードライト部
５    カードストック部
６    カード搬送手段
６ａ  上側従動ローラ
６ｂ  下側駆動ローラ
７    駆動モーター
８    減速機
９    ゲート
１０  シャッタープレート
１０ａフラップ
１０ｂ突条
１０ｃ支軸
１１  カードリフト用モーター
１２  カードリフト用カム
１３  スプリング
１４  カード保持板
１５  センサー
Ｔ１  フラップのテーパ面（外側）
Ｔ２  フラップのテーパ面（内側）
【図１】
2011233098.tif 000003
【図２】
2011233098.tif 000004
【図３】
2011233098.tif 000005
【図４】
2011233098.tif 000006